(57)【要約】【課題】１枚のラベルを用いて、物品上面のラベルにより隠れる面積が少なくなり、且つ、多くの情報を記載したラベルを発行して、物品に貼付可能な、簡単な構造のラベル貼付装置を提供する。【解決手段】ラベル貼付装置１００は、ラベル発行部４０から発行されたラベルをラベル吸着部で吸着保持し、ラベル貼付対象の物品にラベルを貼付する貼付手段であるラベル貼付部４１と、ラベルの全領域のうち、ラベル貼付部４１により物品の被貼付面に貼付される第１の領域Ｌａ、その被貼付面Ｗａからはみ出す第２の領域Ｌｂを設定する設定手段３１ａと、ラベルの第２の領域Ｌｂを物品の被貼付面からはみ出すように、ラベル貼付部４１を制御する貼付制御部３１ｂと、を有する。【選択図】図７
2014177306.tif 000002
【特許請求の範囲】
【請求項１】
ラベル発行部から発行されたラベルをラベル吸着部で吸着保持し、ラベル貼付対象の物品に前記ラベルを貼付する貼付手段を備えるラベル貼付装置であって、
前記ラベルの全領域のうち、前記貼付手段により前記物品の被貼付面に貼付される第１の領域と、該被貼付面からはみ出す第２の領域とを設定する設定手段と、
前記ラベルの前記第２の領域を前記物品の前記被貼付面からはみ出すように、前記貼付手段を制御する貼付制御部と、
を有することを特徴とするラベル貼付装置。
【請求項２】
前記設定手段は、ラベル貼付対象の物品のサイズ、及び、ラベルのサイズに基いて前記第２の領域を設定する、ことを特徴とする請求項１に記載のラベル貼付装置。
【請求項３】
ラベル貼付対象の物品のサイズ、及び、ラベルのサイズを記憶する記憶部をさらに備えることを特徴とする請求項１または２に記載のラベル貼付装置。
【請求項４】
前記ラベル発行部により発行されるラベルは、印字項目のうち少なくとも価格情報を含む印字項目が前記第１の領域に印字され、原材料または添加物についての情報を含む印字項目が前記第２の領域に印字され、
前記貼付制御部は、前記ラベルの前記第２の領域を前記物品の前記被貼付面からはみ出すように、前記貼付手段を制御する請求項１から請求項３の何れかに記載のラベル貼付装置。
【請求項５】
前記ラベル発行部は、前記ラベルの前記第１の領域と前記第２の領域との境界を示す印を印字することを特徴とする請求項１から請求項４の何れかに記載のラベル貼付装置。
【請求項６】
前記ラベル発行部により発行されるラベルは、印字項目の印字量に応じた長さの可変長ラベルであることを特徴とする請求項１から請求項５の何れかに記載のラベル貼付装置。
【請求項７】
請求項１から請求項６の何れかに記載のラベル貼付装置であって、
表示部と、
操作入力部と、
印字データ、ラベルフォーマットイメージを記憶する印字情報記憶部と、を有し、
前記ラベル発行部は、前記印字情報記憶部に記憶されている前記印字データおよび前記ラベルフォーマットイメージに基づいてラベルを発行し、
前記表示部は、前記ラベルフォーマットイメージ上において前記第１の領域と前記第２の領域の境界位置を表示し、
前記設定手段は、前記操作入力部からの入力に基づいて、前記表示部により表示される前記境界位置をラベルフォーマットイメージ上で移動可能とし、移動した境界位置に対応した位置に基いて前記境界位置を設定する処理を行うことを特徴とするラベル貼付装置。
【発明の詳細な説明】
【技術分野】
【０００１】
本発明は、ラベル貼付装置に関する。
【背景技術】
【０００２】
ラップにより包装した包装物などの商品（物品）にラベルを貼付するラベル貼付装置が知られている（例えば、特許文献１参照）。
また、商品名や値段などを印字した表面貼付用ラベルを物品の表面側に貼付する第１の貼付部と、原材料や添加物などを印字した裏面貼付用ラベルを、その物品の裏面側に貼付する第２の貼付部と、を有する表裏両面貼付用のラベル貼付装置が知られている。
【先行技術文献】
【特許文献】
【０００３】
【特許文献１】特開２００１−３１５７３７号公報
【発明の概要】
【発明が解決しようとする課題】
【０００４】
しかしながら、上記表裏両面貼付用のラベル貼付装置は、上記第１の貼付部と、上記第２の貼付部とを備えることを要し、複雑な構造である。また、商品名や原材料など多くの情報が印字されればされるほど、一枚のラベルの面積が大きくなってしまう。このようなラベルを商品に貼付すると、商品上面のラベルにより隠れる面積が大きくなってしまうため、見栄えも悪く、消費者の購買意欲を減衰させかねないという問題がある。
【０００５】
本発明は、上述した問題に鑑みてなされたもので、１枚のラベルを用いて、物品上面のラベルにより隠れる面積が少なくなり、かつ、多くの情報を記載したラベルを発行・貼付することができる、簡単な構造のラベル貼付装置を提供すること、などを目的とする。
【課題を解決するための手段】
【０００６】
本発明のラベル貼付装置は、ラベル発行部から発行されたラベルをラベル吸着部で吸着保持し、ラベル貼付対象の物品に前記ラベルを貼付する貼付手段を備えるラベル貼付装置であって、前記ラベルの全領域のうち、前記貼付手段により前記物品の被貼付面に貼付される第１の領域と、該被貼付面からはみ出す第２の領域とを設定する設定手段と、前記ラベルの前記第２の領域を前記物品の前記被貼付面からはみ出すように、前記貼付手段を制御する貼付制御部と、を有することを特徴とする。
好適には、前記設定手段は、ラベル貼付対象の物品のサイズ、及び、ラベルのサイズに基いて前記第２の領域を設定する、ことを特徴とする。
また、好適には、本発明のラベル貼付装置は、ラベル貼付対象の物品のサイズ、ラベルのサイズ、及び、印字項目を記憶する記憶部をさらに備えることを特徴とする。
【発明の効果】
【０００７】
本発明によれば、１枚のラベルを用いて、物品上面のラベルにより隠れる面積が少なくなり、且つ、多くの情報を記載したラベルを発行し、貼付することができる、簡単な構造のラベル貼付装置を提供することができる。
【図面の簡単な説明】
【０００８】
【図１】本発明の実施形態に係るラベル貼付装置の一例を示す斜視図。
【図２】本発明の実施形態に係るラベル貼付装置の概要を示す図。
【図３】本発明の実施形態に係るラベル貼付装置のラベル発行部の一例を示す図。
【図４】本発明の実施形態に係るラベル貼付装置の電気的なブロック図。
【図５】本発明の実施形態に係るラベル貼付装置の台紙レスラベルの一例を示す図、（ａ）は短いラベル長の台紙レスラベル、（ｂ）は長いラベル長の台紙レスラベルの一例を示す図。
【図６】本発明の実施形態に係るラベル貼付装置のラベルと貼付対象物の位置関係の一例を示す図。
【図７】本発明の実施形態に係るラベル貼付装置の可変長ラベルと貼付対象物の一例を示す図、（ａ）は短ラベルを貼付対象物に貼付した場合、（ｂ）は長ラベルを貼付対象物に貼付した図、（ｃ）は長ラベルのはみ出したラベル領域をオペレータなどにより屈曲させて側面に貼付した状態の一例を示す図。
【図８】商品ファイルの一例を示す図。
【図９】ラベルフォーマットファイルの一例を示す図。
【図１０】トレイファイルの一例を示す図。
【図１１】ラベルフォーマットのイメージと印字ラベルの一例を示す図。
【図１２】本発明の実施形態に係るラベル貼付装置の動作の一例を示すフローチャート。
【図１３】ラベル貼付装置の制御部によるドットデータへの展開ルーチンの動作の一例を示すフローチャート。
【図１４】ラベル貼付装置で用いられるラベルフォーマットイメージおよび境界位置を示す折返し線の一例を示す図。
【発明を実施するための形態】
【０００９】
本発明の実施形態に係るラベル貼付装置１００を、図面を参照しながら説明する。
図１は本発明の実施形態に係るラベル貼付装置１００の一例を示す斜視図である。図２はラベル貼付装置１００の概要を示す図である。図３はラベル貼付装置１００のラベル発行部の一例を示す図である。図４はラベル貼付装置１００の電気的なブロック図である。
図５はラベル貼付装置の台紙レスラベルの一例を示す図、図５（ａ）は短いラベル長の台紙レスラベル、図５（ｂ）は長いラベル長の台紙レスラベルの一例を示す図である。図６は本発明の実施形態に係るラベル貼付装置のラベルと貼付対象物の位置関係の一例を示す図である。図７はラベル貼付装置の可変長ラベルと貼付対象物の一例を示す図であり、詳細には、図７（ａ）は短ラベルを貼付対象物に貼付した場合、図７（ｂ）は長ラベルを貼付対象物に貼付した図、図７（ｃ）は長ラベルのはみ出したラベル領域をオペレータなどにより屈曲させて側面に貼付した状態の一例を示す図である。
【００１０】
本発明の実施形態に係るラベル貼付装置１００は、ラベル発行部４０から発行されたラベルをラベル吸着部で吸着保持し、ラベル貼付対象の物品Ｗ（商品など）にラベルを貼付する貼付手段としてのラベル貼付部４１を有する。ラベル貼付装置１００は、ラベル貼付対象の物品のサイズ、ラベルのサイズ、及び、印字項目を記憶する記憶部３２を有する。本実施形態では、ラベル発行部４０は印字データの大きさなどに基づいて規定される可変長のラベルを発行する。
【００１１】
ラベル貼付装置１００は、ラベル貼付対象としての物品のサイズ、ラベルのサイズ、及び、印字項目に基づいて、ラベルの全領域のうち、ラベル貼付部４１により物品Ｗの被貼付面Ｗａに貼付される第１の領域Ｌａと、その被貼付面Ｗａからはみ出す第２の領域Ｌｂとを設定する設定手段３１ａと、ラベルの第２の領域Ｌｂを物品Ｗの被貼付面Ｗａからはみ出すように、ラベル貼付部４１により物品Ｗの被貼付面Ｗａにラベルの第１の領域Ｌａを貼付する制御を行う貼付制御部３１ｂと、を有する。
オペレータなどは、物品Ｗの被貼付面Ｗａからはみ出した、ラベルの第２の領域Ｌｂを手などで折り曲げて、物品Ｗの側面Ｗｂなどに貼付する。
【００１２】
詳細には、例えば、食品添加物や原材料等の含有が多い食品（商品）に貼付する比較的長いラベルは、商品上面の被貼付面に、ラベル貼付部４１により貼付される第１の領域である上面貼付領域Ｌａ（顧客の商品購入時に判断基準とされる、例えば、品名、原産地、内容量、価格、賞味期限或いは消費期限、またはＰＯＳレジスタ等での精算時に機械的に読取られるバーコード等の印字）と、商品の側面に貼付し表示させてもよい第２の領域である側面貼付領域Ｌｂ（顧客が商品購入時に比較的判断基準としない食品添加物や原材料等の印字、但し、アレルギー等の含有物質については判別し易い形態にて印字がなされているものとする）と、その上面貼付領域Ｌａと側面貼付領域Ｌｂとの間に折曲部ＬＬと、を有する。
従って、商品毎に印字される台紙レスラベルは、ラベルに印字するために設定された商品毎の印字項目数およびその印字項目に設定された印字情報量（文字数、文字間隔、文字フォントの大きさ等）によってラベル発行方向の長さが可変長となるので、側面貼付領域Ｌｂが商品の側面側ではなく、商品の上面にはみ出すことなく貼付される場合もある。
【００１３】
以下、本発明の実施形態のラベル貼付装置１００を詳細に説明する。
【００１４】
図１、図２、図３、図４に示したように、本発明の実施形態に係るラベル貼付装置１００は、包装機能を有する。詳細には、ラベル貼付装置１００は、ストレッチ包装部１１と、ラベル発行部４０（計量ラベルプリンタ）と、ラベル発行部４０から発行されたラベルを受け取って包装済みの商品である物品Ｗにラベルを貼付するラベル貼付部４１と、などを有する。
ラベル発行部４０はストレッチ包装部１１におけるヒータ１０（ヒートシール部）の側方上部に配置され、ラベル貼付部４１はラベル発行部４０の近傍に配置されている。
【００１５】
なお、ラベル貼付部４１の構成は詳細に図示していないが、以下のような構成となっている。
ラベル貼付部４１は、３つの駆動機構を備えており、第一の駆動機構は、水平モータとその水平モータを駆動させる駆動回路を備え、ラベル吸着部面を水平、即ち商品の搬送方向と直交する方向に移動させる水平モータ（第１の駆動機）を駆動する回路で、その水平モータとしてはステッピングモータが使用されている。従って、ステッピングモータの駆動パルス数をカウントすることでラベル吸着部の位置を検出することができる。このステッピングモータは、例えば、右回転の時はプラスカウント、左回転の時はマイナスカウントとなるように構成されている。また、ラベル貼付部４１は、水平基準位置センサを備え、この水平基準位置センサは、ラベル吸着部が水平方向の基準位置に位置したことを検出するセンサであり、この基準位置からの前記駆動パルスのカウント値によってラベル吸着部の水平方向の位置決めが行われる。
【００１６】
第二の駆動機構は、上下モータと該上下モータを駆動させる駆動回路及び上下基準位置センサとを備えたものであり、上下モータ（第２の駆動機構）がラベル吸着部を上下方向へ移動させるものである以外は前記した水平モータと同様である。
【００１７】
第三の駆動機構は、ラベル吸着部を回転させるための回転モータと該回転モータを駆動させる駆動回路及び回転基準位置センサを備えたものであり、回転モータ（第３の駆動機構）は、ラベル吸着部を商品搬送面と平行な面で回転させるモータで、回転モータの駆動パルスで位置決めされる距離ではなく、回転角度である点を除くと前記した水平モータの場合と同じである。
【００１８】
また、ラベル貼付部４１は、ラベル貼付センサを更に備える。このラベル貼付センサはラベルが商品に貼付されたこと、つまりラベル吸着部の吸着面が物品Ｗ（商品）に当接されたことを検出するセンサであり、ラベル吸着部に上側方向の力が一定以上加わったことにより、前記上側の平行アームが支持腕から離間したことを検出する。
【００１９】
ストレッチ包装部１１は、機枠１１ａの前方に物品Ｗを載置する商品載置部１２が配置され、その商品載置部１２に載せた物品Ｗをプッシャコンベア１３により機枠内部に設けたエレベータ１４まで搬送する。
尚、物品Ｗは容器であるトレイに収容された状態で搬送される場合を例示し、また、商品載置部１２は計量部５０の計量皿として構成されており、その商品載置部１２の手前側近傍には物品Ｗの横幅を検出する幅検出センサ１５ａが設けられている。
更に、プッシャコンベア１３による商品搬送路上には、そのプッシャコンベア１３の側方に位置させて物品Ｗの高さを検出する高さ検出センサ１５ｂは、高さを検出すると共に物品Ｗの奥行き寸法（搬送方向に沿った長さ寸法）を計測する長さ検出センサを兼ねている。
【００２０】
商品載置部１２に載置された物品Ｗの横幅（Ｌ）を検出する幅検出センサ１５ａは、可動式の右側および左側の反射型光センサを有する。
物品Ｗの右側長さ（ＬＲ）を検出する右側の反射型光センサおよび物品Ｗの左側長さ（ＬＬ）を検出する左側の反射型光センサはそれぞれ、物品Ｗが載置された略中央位置から横幅方向に離間するように移動して（商品の右側長さＬＬ＋商品の左側長さＬＲ）を検出する。この物品Ｗの横幅（寸法Ｌ）は包装機の制御に使用される。幅検出センサ１５ａは、長さデータ、即ち（ＬＬ＋ＬＲ）をラベル発行部４０（計量ラベルプリンタ）の制御部に送信する。
【００２１】
また、物品Ｗの高さＨを検出する高さ検出センサ１５ｂは投光器と受光器を有し、投光器と受光器が商品搬送路の途中に搬送路を挟んで高さ方向に所定の間隔をおいて多数個配置され、搬送路上を搬送される商品の高さに応じて投光器の光が遮られることで商品の高さＨを検出する。そして、その高さデータは包装機の制御に用いられると共に、ラベル発行部４０（計量ラベルプリンタ）の制御部に送信される。
【００２２】
また、物品Ｗの縦幅ｗを検出する幅検出センサ１５ａは、所定の基準点に対するセンサの位置Ｐ０と、商品載置部１２に載置された物品Ｗがプッシャコンベア１３のプッシャに押されて機枠内部に設けたエレベータ１４に物品Ｗを搬送する際、搬送路上を搬送される物品Ｗによってセンサの投光器の光が遮られたときのプッシャの位置Ｐとの差分（Ｐ０−Ｐ）として物品Ｗの縦幅が検出される。
このように、物品Ｗ（トレイ）のサイズ（横幅Ｌ・高さＨ・縦幅ｗ）は、ストレッチ包装部１１の機枠内部に設けたエレベータ１４に搬送される途中で検出される。
【００２３】
上記エレベータ１４の上方には包装部１６が設けられ、その包装部１６の側方（プッシャコンベアと直角に交差した方向）にフィルムロール１７をセットし、該フィルムロール１７から繰り出されるフィルム１７ａをフィルムフィード機構５により引き出し、所定長さにカットした後に包装部１６まで移送する。
【００２４】
上記包装部１６には、フィルムフィード機構５の上方に、物品Ｗの上面を覆うフィルム１７ａの端部を物品Ｗの底部側に折り込む後折り込み部材６と左右折り込み部材７，７’、その左右折り込み部材７，７’の上方に位置して包装済みの物品Ｗを排出する排出プッシャ（プッシャ）８、及び、排出プッシャ８の移動方向前方位置に前折り込みローラ９が配設されている。
上記フィルムフィード機構５は、フィルムの幅方向の側端部を挟持する上下一対の無端状の弾性ベルト５ａ，５ｂと、下側の弾性ベルト５ｂを上側の弾性ベルト５ａ側へ圧接するクランプ板５ｃとで構成され、それらが包装部１６を挟んで前後に配置されている。
【００２５】
また、前折り込みローラ９の前方には、物品Ｗの底面側に折り込まれたフィルムの端部の重なり部を加熱して接着し排出するヒータ（ヒートシール部）１０とその前部に排出部が配設され、機枠１１ａ上には表示操作部４（コンソール部）が、更にヒータ（ヒートシール部）１０の側方上部にラベル発行部４０（計量ラベルプリンタ）が、ヒータ（ヒートシール部）１０の上方にはラベル貼付部４１が設置されている。
【００２６】
ヒータ１０（ヒートシール部）は、複数のプーリに亘ってガラス繊維等からなる無端状ベルトが回転可能に巻回され、その無端状ベルトの搬送面（往路側ベルト）の下部に熱板が配置されて構成されている。熱板は電気的に加熱されヒータ（ヒートシール部）の熱源となる。また、熱板は温度検出手段として制御手段を構成するサーモスタット（図示省略）に電気的に接続され、一定温度を保つように制御されている。サーモスタットが所定値以上の温度になると熱板への通電が遮断され、所定値以下の温度になると熱板に通電される。無端状ベルトはベルト全体が包装されて排出された商品の底面に折込まれたフィルムをヒートシール可能な温度に加熱維持されている。
【００２７】
排出プッシャ８の底部に断熱部は必須ではないが、発泡合成樹脂、例えばポリスチレンフォーム、硬質ウレタンフォーム、ポリエチレンフォーム、フェノールフォーム等の断熱材で構成された断熱部が、排出プッシャ８の底部一面に設けるようにしてもよい。そして、排出プッシャ８の底部に設けられた断熱部の底面はヒータ（ヒートシール部）１０の上面（無端状ベルトの表面）に対して擦らないよう僅かな隙間が設けられている。
【００２８】
また、排出プッシャ８の押圧面（物品Ｗと接触してその被包装物を押圧移送する面）の前面に断熱部は必須ではないが、排出プッシャ８の押圧面に断熱材が貼着された断熱部を構成するようにしてもよい。これにより金属板で構成された押圧面がヒータ１０の熱で熱くなったとしても、包装済みの物品Ｗと接する部分は断熱材からなる断熱部である為、包装するフィルムに熱で穴が開くのを防止することができる。
【００２９】
また、排出プッシャ８を移動させる駆動機構（図示省略）には、その排出プッシャ８が待機位置に位置することを検知する第１プッシャ位置検出センサと、排出プッシャ８が包装済みの物品Ｗを排出部上のラベル貼付領域へ排出させた位置（即ち、ヒータ（ヒートシール部）１０上に位置する）に移動したことを検知する第２プッシャ位置検出センサが設けられ、排出プッシャ８を第２プッシャ位置検出センサで検知すると排出プッシャ８を初期位置（待機位置）に戻す制御を行う。これにより、物品Ｗをラベル貼付領域Ｌｐへ排出させる移動制御が行なわれる。
つまり、排出プッシャ８を第１プッシャ位置検出センサで待機位置に位置していることを検知した後、第２プッシャ位置検出センサにより前記排出プッシャ８を検出することにより、物品Ｗがラベル貼付領域Ｌｐに位置していると判断することができる。
【００３０】
また、ラベル貼付領域Ｌｐは、排出プッシャ８が物品Ｗを排出部へ排出するという包装動作の完了を示す。尚、例えば、第１及び第２プッシャ位置検出センサは透過型フォトセンサを有し、該位置にて排出プッシャ８に付いているフラグがセンサを遮ることで該位置に排出プッシャ８が位置していることを検知する。なお、第１及び第２プッシャ位置検出センサとしては、例えば反射型フォトセンサを使用してもよい。
【００３１】
上記構成のストレッチ包装部１１において、プッシャコンベア１３でエレベータ１４上に搬送された物品Ｗがエレベータ１４の上昇により包装部１６に張架されたフィルム１７ａに対して突き上げられ、物品Ｗの上面を覆ったフィルム１７ａの端部は、後折り込み部材６と左右折り込み部材７，７’とにより物品Ｗの底面側に折り込まれる。
次に、排出プッシャ８により物品Ｗはヒータ（ヒートシール部）１０へ向けて水平に押動され、その押動の途中、フィルム１７ａの前側端部は前折り込みローラ９で物品Ｗの底面側に折り込まれ、その底面側に折り込まれたフィルム端部の重なり部はヒータ（ヒートシール部）１０でヒートシールされ、フィルムで包装された物品Ｗが得られる。そして、その包装を完了した物品Ｗは排出プッシャ８の押動によってヒータ（ヒートシール部）１０上から排出部上に排出される。
【００３２】
ラベル貼付装置１００は、上述したように、ラベル発行部４０と、そのラベル発行部４０から発行されたラベルを商品（物品）Ｗに貼付するラベル貼付部４１と、を備える。
【００３３】
ラベル貼付部４１は、ラベル発行部４０から発行されたラベルを受け取って搬送手段１の搬送コンベア１’上を移動する商品（物品）Ｗにラベルを貼付する。詳細には、ラベル貼付部４１は、発行されるラベルを、空気の負圧作用によって吸着保持し、そのラベルを吸着保持した部材を、ラベル貼付領域Ｌｐの商品（物品）Ｗに押し付けることにより、ラベルを物品に貼付するように構成されている。
ラベル貼付部４１によって貼付するラベルの貼付位置は、商品（物品）Ｗの大きさ（例えば、トレイのサイズ）や形によって異なる。そのため、ラベル貼付部４１は、搬送される商品（物品）Ｗの大きさや形に合わせてラベルの貼付位置を変更できるように移動可能に支持されている。
【００３４】
図３に示したように、ラベル発行部４０（プリンタ）は、ラベル用紙として一方面が印字面で他方面が粘着層を有する貼付面である長尺帯状のラベル用紙２１’がロール巻きされた台紙レスラベルロール２１を用いる台紙レスラベル発行部である。
【００３５】
ラベル発行部４０は、ケース４０ａ内にロール装填部２３が設けられ、そのロール装填部２３にセットされる台紙レスラベルロール２１のラベル用紙の繰り出し方向前方位置に、印字部２５と、印字された台紙レスラベル用紙を所定長さに切断する切断手段２６と、が配置されている。台紙レスラベルロール２１は、ロール装填部２３に回転可能に支持される。
切断手段２６は、印字部２５で商品などの情報が印字され、ラベル送出口に向けて送出されるラベル用紙２１’を所定長さの枚葉状に切断する。切断手段２６は、ラベル送出口より水平状に送出されるラベル用紙２１’を挟むように配置した上下一対の可動刃２６ａと固定刃２６ｂとを有する。
【００３６】
印字部２５は、ラベル用紙２１’の下方（貼付面側）に位置するプラテンローラ２５ａと、ラベル用紙２１’の上方（印字面側）に位置するサーマルヘッド２５ｂとを有する。プラテンローラ２５ａは後述するステッピングモータによって駆動回転するように構成されている。
ラベル用紙２１’の上方に位置するサーマルヘッド２５ｂは、ラベル用紙２１’を下側のローラ（プラテンローラ２５ａ）とで挾着するように下方に付勢され、それによりラベル用紙２１’を安定して送出し得るように構成されている。
【００３７】
また、印字部２５のプラテンローラ２５ａは、それぞれの表面に剥離剤がコーティングされており、ラベル用紙２１’の印字面とは反対側面に塗着されている粘着剤が付着しないように構成され、それによってラベル用紙２１’の送出が円滑に行われるようになっている。尚、ラベル用紙２１’の粘着層が上記ローラに付着しにくくする構成は上記構成に限らず、上記ローラ自体又はローラの最外周部分を易剥離性の部材で構成してもよい。
【００３８】
図４に示したように、本発明の実施形態に係るラベル貼付装置１００は、ラベル発行貼付部４０Ｅと包装機構制御部１０２Ｅとを備えている。ラベル発行貼付部４０Ｅは、主としてラベル発行部４０とラベル貼付部４１などの制御を行なうもので、制御部３１（ＣＰＵ）によって制御される。包装機構制御部１０２Ｅは、主としてストレッチ包装機の機構部の制御を行うもので、ＣＰＵ６１によって制御される。
【００３９】
＜包装機構制御部１０２Ｅ＞
次に、包装機構制御部１０２Ｅについて説明する。
包装機構制御部１０２Ｅは、ＣＰＵ６１、通信用インタフェース回路（ＩＮＦ）６５、ＲＯＭ６２、ＲＡＭ６３、操作部６４、及び、機構駆動部６６を有する。各構成要素はバス（データ通信線など）６１ａを介して接続されている。
【００４０】
通信用インタフェース回路（ＩＮＦ）６５は、ラベル発行貼付部４０Ｅと各種データ、指令の通信を行なうための回路である。
【００４１】
ＲＯＭ６２は、ＣＰＵ６１が実行する制御プログラムを記憶している。
ＲＡＭ６３は、ＣＰＵ６１がＲＯＭ６２の制御プログラムを実行する場合に用いる各種レジスタ及びフラグのエリアの他に、商品の形状データ（縦、横、高さ）に基づいて制御データを決定するための各種テーブル等が記憶されている。
操作部６４は、装置の起動、停止等のためのスイッチである。
【００４２】
機構駆動部６６は、包装を実行する場合に包装機の各機構部を駆動するための回路で、具体的にはエレベータを駆動するモータ６７、被包装物を搬入するプッシャコンベアの搬入モータ６８、フィルムフィード機構のフィルム移送モータ６９、折り込みモータ、排出プッシャーモータ等がある。尚、包装機の詳細については説明を省略する。
また、機構駆動部６６には、被包装物の横幅を検出する商品の幅検出センサ１５ａ（商品幅検出センサ）と、被包装物の高さを検出する高さ検出センサ１５ｂ、商品の長さを検出する長さ検出センサ１５ｃが接続されており、検出データをＣＰＵ６１へ供給するようになっている。
【００４３】
ラベル発行貼付部４０Ｅから包装機構制御部１０２Ｅへ、商品載置部上に載置された被包装物の計量が安定したことを報知する信号が送信される。また、包装機構制御部１０２Ｅからラベル発行貼付部４０Ｅへ、ラベル貼付位置決定のためのデータとして、幅検出センサ１５ａで検出された一方の長さデータ（商品の中央から幅方向端部までの長さデータ）と、高さ検出センサ１５ｂにより検出された高さデータと、長さ（奥行き）データとなどが送信される。
【００４４】
＜ラベル発行貼付部４０Ｅ＞
ラベル発行貼付部４０Ｅは、制御部３１、記憶部３２、表示操作部（コンソール部）４、通信用のインタフェース回路（ＩＮＦ）４６、第１の物品検出センサ３５、第２の物品検出センサ３６、ラベル発行部４０、ラベル貼付部４１、貼付駆動部４２、搬送駆動部４３、商品検出センサ５９、計量部５０、などを有する。各構成要素は、バス３１ｄ（データ通信線）などを介して接続されている。
【００４５】
ラベル発行部４０は、サーマルヘッド（印字手段）２５ｂ、プラテンローラ２５ａを駆動するステッピングモータ２４、サーマルヘッド２５ｂで印字したラベル用紙２１’を切断する切断手段２６としてのカッターなどを有する。サーマルヘッド（印字部）２５ｂ、ステッピングモータ２５ｃ、切断手段２６としてのカッターなどは、インタフェース３７を介して、制御部３１に接続されている。
【００４６】
記憶部３２は、台紙レスラベルのラベル長などを記憶する。記憶部３２は、ＲＯＭ３３、ＲＡＭ３４などの記憶装置を有する。記憶部３２には、物品のサイズ、ラベルのサイズ、印字項目などが記憶される。
詳細には、ＲＯＭ３３には、制御部３１が実行する各種制御プログラムが記憶されている。
ＲＡＭ３４は、制御部３１がＲＯＭ３３の制御プログラムを実行する場合に用いる各種レジスタ、フラグ等のエリア、商品毎に予め各種データが記憶されたプリセットデータエリアを備えている。
プリセットデータエリアには、被包装物（商品番号）に対応して、値段計算及びラベル印字用のデータである「品名」、「値段（単価）」、「バーコード」等の各種商品データが記憶された商品ファイル（図８参照）、ラベル印字のフォーマットが定義されたラベルフォーマットファイル（図９参照）、トレイファイル（図１０参照）、などが記憶されている。
【００４７】
図８は本実施形態によるラベル発行貼付部（台紙レスラベルプリンタ）で管理する商品ファイルのデータ構成を示す説明図である。商品ファイルには、「品番」、「品名」、「値段」、「バーコード」、「添加物」、「ラベルフォーマット」、「トレイフォーマット」等の項目が設定されている。
ラベルフォーマットには、ラベルフォーマットファイルのラベルフォーマット番号が設定されて記憶されている。また、トレイフォーマットには、トレイファイルのトレイ番号が設定されて記憶されている。
【００４８】
図９は本実施形態によるラベル発行部（台紙レスラベルプリンタ）で管理するラベルフォーマットファイルのデータ構成を示す説明図である。ラベルフォーマットファイルには、印字フォーマットを各種設定でき、フォーマットの種類を特定するフォーマット番号、ラベルテープの切断長さを決定するラベル長、更に、印字項目として商品名、添加物、メッセージ、原材料、値段、バーコード、単位、賞味期限、加工日時、店名等があり、それらの印字項目にはそれぞれ、印字位置（ラベルの左上を０，０とし、印字範囲の左上端を指す）、用紙（台紙レスラベルテープ）搬送方向の印字範囲である高さ、高さと直交する印字範囲である長さ、文字フォント種類を特定するフォントが設定されている。
【００４９】
図１０はトレイファイルのデータ構成を示す説明図である。トレイファイルには、トレイの種類を特定するトレイ番号を設定し、それぞれのトレイ番号毎に、横幅、奥行き、高さ、風袋重量、ラベル貼付位置（トレイ端部からラベル中央部までの距離データ：Ｘ０、Ｙ０）（貼付位置情報）、移動（貼付部の水平移動距離：Ｘ）、タイミング（排出プッシャが駆動してからの貼付部の下降タイミング：Ｔ）、９０°回転（貼付部が吸着保持した台紙レスラベルを９０°回転させるかを識別するフラグ、１８０°回転（貼付部が吸着保持した台紙レスラベルを１８０°回転させるかを識別するフラグ）等が設定されている。尚、トレイの横幅、奥行き、高さデータを設定しているが、検出センサ１５ａ，１５ｂで検出されているので、設定していなくてもよいし、あるいは検出センサ１５ａ，１５ｂを設けずに自動でそれぞれの長さが検出されない場合には、トレイファイルに各長さを設定しておき、包装を開始する際に該当するトレイファイルを読み出して、各長さデータを設定するようにしてもよい。
【００５０】
表示操作部４（コンソール部）は、キーボードとタッチパネルからなる操作入力部３８と、液晶表示器などで構成された表示部３９と、を有する（図４等参照）。表示操作部４（コンソール部）は、各種データ及び指令の入力、或いは制御部３１の指令に基づいて入力データの表示、プリセットデータの表示、各種メッセージの表示を行う。
本発明における台紙レスラベルＬの貼付に関する各種データの入力等は、この表示操作部４の操作部または操作入力部３８を操作することで行うことができる。
計量部５０は、商品載置部に載置された被包装物の計量信号を制御部３１へ供給するものである。
【００５１】
通信用のインタフェース回路４６（ＩＮＦ）は、包装機構制御部１０２Ｅと各種データ、指令の通信を行う。
サーマルヘッド２５ｂ、ステッピングモータ２５ｃ、切断手段２６としてのカッターは、ラベル発行部４０の印字部を構成し、制御部３１の指令に基づいて台紙レスラベルテープに品名、値段、単価、バーコード等の印字を行い、印字したラベルテープを切断手段２６としてのカッターで枚葉状に切断して、台紙レスラベルＬをラベル発行口に発行する。
商品検出センサ５９は、排出路の側方で、ラベル吸着部が貼付のために垂直下降する位置の若干手前（包装部寄り）に配置され、該排出路に包装物の有無を検出して、ラベル貼付のための信号を発生する。商品検出センサ５９は、包装物がラベル貼付場所、即ち排出路（ヒートシール部）へ位置した場合、その旨を制御部３１へ出力する。
【００５２】
搬送駆動部４３は、搬送コンベア（搬送手段１）を駆動する搬送モータなどを有し、制御部３１の制御により搬送モータを駆動または駆動停止を行う。
【００５３】
第１の物品検出センサ３５は、発光部と受光部などから構成され、排出路（ヒートシール部）１０の側方に配置され、排出プッシャ８によりラベル貼付領域Ｌｐに排出された物品Ｗの有り無しを検知し、それを示す信号を制御部３１に出力する。制御部３１は、その信号を基に物品Ｗへのラベル貼付のタイミングを調整する。
【００５４】
第２の物品検出センサ３６は、排出路（ヒートシール部１０）の前部に配設された搬送コンベア（搬送手段１）またはその近傍に、物品Ｗが載置されているか否かを示す信号を出力する。第２の物品検出センサ３６は、発光部と受光部などを有する。
【００５５】
制御部３１は、各構成要素を統括的に制御する。制御部３１は、記憶部３２から読み出した制御プログラム（ＰＲＧ）などを実行することにより、コンピュータとしてのラベル貼付装置１００に各機能を実現させる。
【００５６】
制御部３１は、設定手段３１ａと、貼付制御部３１ｂと、などを有する。
設定手段３１ａは、物品のサイズ、ラベルのサイズ、印字項目のうち全て、又は、いずれか２つ、又は、いずれか１つに基づいて、ラベルの全領域のうち、貼付手段であるラベル貼付部４１により物品Ｗの被貼付面Ｗａに貼付される第１の領域Ｌａと、その被貼付面Ｗａからはみ出す第２の領域Ｌｂとを設定する処理を行う。なお、設定手段３１ａは、はみ出す設定を行なうか否かを示すフラグがオンになったときのみに設定可能となっていてもよい。その場合、フラグがオフになっているときははみ出す制御は行わないこととする。
詳細には、設定手段３１ａは、物品のサイズ、ラベルのサイズ、印字項目のうち全て、又は、いずれか２つ、又は、いずれか１つに基づいて、自動的に、ラベルの第１の領域Ｌａと第２の領域Ｌｂを設定してもよい。こうすることで、オペレータの手間を省くことができる。
また、設定手段３１ａは、操作入力部３８からのオペレータによる操作入力信号、物品のサイズ、ラベルのサイズ、印字項目などに基づいて、ラベルの第１の領域Ｌａと第２の領域Ｌｂを設定してもよい。こうすることで、オペレータの操作により、ラベルの第１の領域Ｌａと第２の領域Ｌｂそれぞれを所望の位置となるように設定することができる。
【００５７】
貼付制御部３１ｂは、ラベルＬの第２の領域Ｌｂを物品Ｗの被貼付面Ｗａからはみ出すように、貼付手段であるラベル貼付部４１により物品Ｗの被貼付面ＷａにラベルＬの第１の領域Ｌａを貼付する制御を行う。
【００５８】
ラベル発行部４０、ラベル貼付部４１、貼付駆動部４２などについては、上述したので説明を省略する。
【００５９】
図５は、本発明の実施形態に係るラベル貼付装置１００の台紙レスラベルＬの一例を示す図であり、詳細には、図５（ａ）は短いラベル長の台紙レスラベルＬ１、図５（ｃ）は長いラベル長の台紙レスラベルＬ２の一例を示す図である。
【００６０】
各台紙レスラベルＬ１、Ｌ２の幅Ｘ1は一定値に規定されている。各台紙レスラベルＬ１、Ｌ２は、それぞれ印字発行方向に沿った各長さ（ラベル長）Ｙ1は、バーコード迄の上面貼付領域とバーコードの下方の側面貼付領域に印字する商品に含まれる添加物や原材料の量によって長さが可変となる。従って、各ラベルの長さＹ1は、ラベルに印字される印字データの大きさなどにより規定される。なお、図５の各台紙レスラベルＬ１、Ｌ２におけるＬＣは上面貼付領域における略中心座標である。
【００６１】
図６は、本発明の実施形態に係るラベル貼付装置のラベルと貼付対象物の位置関係の一例を示す図である。
図６に示したように、ラベル貼付装置は、横の長さ（横幅）Ｘ0、縦の長さ（奥行き）Ｙ0の大きさの物品Ｗ（トレイ）にラベルＬを貼付する。ラベル貼付データファイルにはトレイ端部からラベル中央部までの距離データ（Ｘ2、Ｙ2）が設定されている。例えば、トレイ上におけるラベル貼付位置は、トレイの隣り合う辺（端部）からラベル中心までの距離で、例えば、横幅：２００ｍｍ、縦幅：１５０ｍｍのトレイで、Ｘ2：３０ｍｍ、Ｙ2：１３０ｍｍが設定される。この場合、トレイ上におけるラベルの外周縁とトレイの端部との間には空白の距離（Ｓ1）が存在する。
【００６２】
また、貼付手段の移動距離（水平移動距離データ）Ｘは、予め入力設定されたトレイ端部からラベル中央部までの距離データ（Ｘ2、Ｙ2）と、包装過程でトレイの横幅が検知された際に算出される。その算出された移動距離ＸとタイミングデータＴとに基づいてラベル貼付制御が行われる。但し、使用するトレイファイルをラベル貼付データファイルと関連付けるようにして、包装動作前に移動距離ＸとタイミングデータＴとを算出するようにしてもよい。つまり、トレイは商品載置部１２の中心に置かれ、トレイの横幅（Ｌ）と、トレイ端部からラベル中央までの距離Ｘ2が分かるので、移動距離Ｘが決定される。
制御部３１は、トレイ上のラベル貼付位置（ＬＣ）の座標を算出することにより、ＬｂにおけるＹ3の長さを算出すことができ、Ｙ3の値が零より小さい値（負数）である場合、商品上面の被貼付面の端部からラベルＬがはみ出すと判断する。Ｙ3の値が零より大きい（正数）である場合、商品上面の被貼付面内にラベルＬが貼付されると判断する。従って、可変長に印字される台紙レスラベルの発行方向の長さ（印字イメージ長）と、予め設定された、Ｘ2、Ｙ2，Ｓ1の設定値の大きさとによって、可変長に印字された台紙レスラベルが貼付された時に商品端部より側面貼付領域Ｌｂがはみ出すか否かが決定する。
【００６３】
次に、図７（ａ）、図７（ｂ）、図７（ｃ）を参照しながら、可変長ラベルとラベル貼付対象物の物品Ｗについて説明する。
図７（ａ）に示したように、短いラベルＬを、物品Ｗの上面の被貼付面Ｗａに貼付する場合、ラベルＬの端部が商品上面の被貼付面Ｗａからはみ出さずに貼付される。
【００６４】
上述したように、比較的長いラベルＬは、物品Ｗの上面の被貼付面Ｗａに、ラベル貼付部４１により貼付される上面貼付領域Ｌａと、物品Ｗの側面Ｗｂに貼付される側面貼付領域Ｌｂと、その上面貼付領域Ｌａと側面貼付領域Ｌｂとの間に折曲部ＬＬとを有する。
【００６５】
図７（ｂ）に示したように、比較的長いラベルＬを、物品Ｗの上面の被貼付面Ｗａに貼付する場合、ラベルＬの上面貼付領域Ｌａが物品Ｗの上面の被貼付面Ｗａに貼付され、ラベルＬの折曲部ＬＬが、物品Ｗの上面の被貼付面Ｗａの端部に位置するように配置され、ラベルＬの側面貼付領域Ｌｂが物品Ｗの上面の被貼付面Ｗａの端部からはみ出た状態となる。
【００６６】
次に、図７（ｃ）に示したように、ラベルＬを略Ｌ字形状に折曲部ＬＬで折り曲げると、ラベルＬの側面貼付領域Ｌｂが物品Ｗの側面Ｗｂに貼付された状態となる。
尚、さらに長いラベルＬを物品Ｗに貼付する場合、ラベルを略Ｕ字形状に折り曲げて物品Ｗの底面にまで貼付することとなる。
【００６７】
＜ラベル貼付装置１００の動作の一例＞
次に、本発明の実施形態に係るラベル貼付装置１００の動作の一例を図１，図２，図４，図１１〜１３等を参照しながら説明する。図１１はラベルフォーマットのイメージと印字ラベルの一例を示す図である。図１２は本発明の実施形態に係るラベル貼付装置の動作の一例を示すフローチャートである。図１３はラベル貼付装置の制御部によるドットデータへの展開ルーチンの動作の一例を示すフローチャートである。
【００６８】
ステップＳ１において、制御部３１は、ＲＡＭ３４を参照し、ラベル発行を行う値付モードであるか否かを判断する。制御部３１は、値付モードでない（ＮＯ）と判断した場合、ステップＳ２に進み、値付けモードであると判断（ＹＥＳ）した場合、ステップＳ３に進む。
【００６９】
ステップＳ２において、制御部３１は、設定モードでのファイルデータ設定や、レポートモードでの実績レポート出力や、メンテナンスモードでのメンテナンス等の制御（その他の処理）を行い、ステップＳ１の処理に進む。
【００７０】
ステップＳ３において、制御部３１は、操作者（オペレータ）による表示操作部４の操作に応じて、印字する商品の品番などを記憶部３２などから読み出す。商品ファイルにはラベルフォーマット番号、トレイフィーマット番号が関連付けて記憶されているので、例えば、ラベルフォーマット番号１が商品ファイルの特定された品番に設定されている場合、制御部３１は、フォーマット番号１によって特定されるラベル長データをはじめとする各印字項目の印字領域情報のフォーマットデータを読み出す処理を行う。尚、フォーマット番号１によって特定されるフォーマットデータにおいて、品名は３行分、添加物は４行分の印字範囲があるものとする（図１１（ａ）参照）。また、品番に設定されているトレイフォーマット番号により、トレイファイルに設定されているトレイＮｏ．が読み出され、使用するトレイの横幅、高さ、奥行き長さや、ラベルの貼付位置（Ｘ０、Ｙ０）、貼付部の装置における水平移動距離Ｘや、貼付部が降下するタイミング、貼付部を９０°回転するか、あるいは１８０°回転するかの情報等が読み出される。
また、品番０００１が指定された時には、値付けする商品の商品データとして、品番０００１によって特定される商品の商品データ（例えば、品名、値段、添加物等）が呼び出される。尚、品番０００１によって特定される商品の添加物は、それぞれ１行分の印字データ量であるものとする（図８参照）。
【００７１】
ステップＳ４において、制御部３１は、呼び出したフォーマットに従って、呼び出した商品データの印字データを、ドットデータに展開する処理を行う。尚、ドットデータの展開処理の詳細については、図１３で説明する。ステップＳ３で呼び出されたベルフォーマットエリアのラベル長データと、後述の図１３のステップＳ２８で用紙搬送方向の印字位置を上方に詰める場合、制御部３１は、詰める行数分減算し、ラベル長を算出する。つまり、基準のラベル長はＳ３で読み出され、一文字分の文字の高さは予め決められており、また、印字の排出方向における文字と文字との行間の長さも予め定められているので、詰めた行数の長さを算出し、発行するラベル長も算出することができる。
【００７２】
ステップＳ５において、制御部３１は、物品のサイズ、ラベル長、印字項目などに基づいて、ラベルの第１の領域Ｌａと第２の領域Ｌｂとを設定する。詳細には、ラベル貼付部４１によりラベルが貼付される物品Ｗの被貼付面（上面など）に貼付されるラベルの第１の領域Ｌａと、ラベルの第２の領域Ｌｂとを設定する。
詳細には、第１の領域Ｌａは、ラベルの全領域のうち、ラベル貼付部４１により物品Ｗの被貼付面Ｗａに貼付される領域である。第２の領域Ｌｂは、その被貼付面からはみ出す領域である。
第１の領域Ｌａには、印字項目のうち重要度の高い印字項目が印字され、詳細には、例えば、商品の品名、値段、バーコードなどが印字される。第２の領域Ｌｂには、印字項目のうち重要度の低い印字項目が印字され、詳細には、例えば、商品の原材料、添加物などが印字される。
【００７３】
ステップＳ６において、制御部３１は、ストレッチフィルム包装機の商品載置部１２の計量部５０に載置された物品Ｗ（商品）の計量が安定したことを示す信号の入力の有無を判断する。計量安定信号の入力がない（ＮＯ）場合、制御部３１は、安定信号の入力があるまで判断を繰り返し、計量安定信号の入力がある（ＹＥＳ）場合、ステップＳ７の処理に進む。
【００７４】
ステップＳ７において、制御部３１は、ステップＳ４で展開したドットデータに基づいて、サーマルヘッド２５ｂとプラテンローラとを制御し、台紙レスラベルテープへの印字処理を行う。そして、ステップＳ４で算出されたラベル長さデータを包装機構制御部１０２Ｅへ送信する。
【００７５】
ステップＳ８において、制御部３１は、カッターを制御することで、台紙レスラベルテープを切断し、枚葉状の台紙レスラベルを発行する。例えば、制御部３１は、ステップＳ３でフォーマット番号１のフォーマットを呼び出し、ステップＳ４で品番０００１の商品の商品データを呼び出していた場合、図１１（ｂ）に示すようなラベルを発行する処理を行う。
【００７６】
ステップＳ９において、制御部３１は、ステップＳ３で読み出された印字項目などを含む印字フォーマット情報、トレイサイズを含むトレイフォーマット情報、ステップＳ４で算出されたラベル長（ラベルサイズ）、などに基づき、ラベル貼付部４１の移動距離（Ｘ）、下降タイミング（Ｔ）を特定し、印字からラベル貼付までにかかる時間を算出する。
【００７７】
ステップＳ１０において、制御部３１は、上記算出した、印字からラベル貼付までにかかる時間を示す情報を包装機構制御部１０２Ｅに送信する処理を行う。
【００７８】
ステップＳ１１において、制御部３１は、ラベル貼付部４１のラベル吸着部をラベル発行部４０のラベル発行口へ移動させる。
【００７９】
ステップＳ１２において、制御部３１は、ラベル発行口に保持されたラベルＬをラベル吸着部Ｃ１が吸着し、吸着後、ラベル吸着部を待機位置へ移動する処理を行う。
【００８０】
ステップＳ１３において、前記商品ファイルのトレイフォーマットに設定されたトレイ番号に対し、ラベルを０°、または、９０°または１８０°回転のフラグ設定に基づいてラベル吸着部Ｃ１を回転させる。例えば、品番０００１のトレイフォーマットにトレイ番号１が設定され、そのトレイ番号１はトレイファイルで９０°回転有りのフラグが設定されているため、ラベル貼付部４１のラベル吸着部は９０°回転される（図８、図１０参照）。
【００８１】
ステップＳ１４において、制御部３１は、ラベル貼付部４１のラベル吸着部を待機位置から下降を開始させ、物品Ｗとしての包装物にラベルを貼付する処理を行う。制御部３１は、基準のラベル長に対する長短差により下降のタイミングを早くする、又は、遅くする。
【００８２】
ステップＳ１５において、制御部３１は、ラベルの第２の領域Ｌｂを物品Ｗの被貼付面Ｗａからはみ出した状態で、ラベルの第１の領域Ｌａを物品の被貼付面Ｗａに貼付する制御を行う。
【００８３】
ステップＳ１６において、制御部３１は、ラベル貼付部４１のラベル吸着部により吸着保持する物品Ｗの上面に貼付されたか否かをセンサ（不図示）などの信号にて判断する。制御部３１によるラベル貼付の判断は、ラベル貼付センサー（不図示）の検出信号に基づいて行われる。そして、ラベル貼付が確認されるまで繰り返し検出動作が行われ、制御部３１が、ラベル貼付を検知した場合、ステップＳ１７の処理に進む。
【００８４】
ステップＳ１７…制御部３１は、ラベル貼付部４１を上昇させた後、ラベル貼付部４１を初期位置に移動させて、次のラベル貼付のために待機させる処理を行う。
【００８５】
次に、図１３を参照しながら、ラベル貼付装置によるドットデータへの展開ルーチンの動作の一例を説明する。
【００８６】
ステップＳ２１において、制御部３１は、図１２のステップＳ３で呼び出したラベルフォーマットデータの中で、判断処理（ステップＳ２２〜ステップＳ２５の各判断処理のうち少なくともステップＳ２２の判断処理）がされていない、用紙搬送方向に対して最も上流側の印字項目を検索する。例えば、上記判断処理の初回であれば、最も上流側の印字項目は「商品名」となる。
【００８７】
ステップＳ２２において、制御部３１は、ステップＳ２１で検索した印字項目が「品名」であるか否かを判断し、判断結果が「品名」でない（ＮＯ）の場合、ステップＳ２３の処理に進む。
【００８８】
ステップＳ２３において、制御部３１は、印字項目が「添加物」であるか否かを判断し、判断結果が「添加物」でない（ＮＯ）の場合、ステップＳ２４の処理に進む。
【００８９】
ステップＳ２４において、制御部３１は、印字項目が「原材料」であるか否かを判断し、判断結果が「原材料」でない（ＮＯ）の場合、ステップＳ２５の処理に進む。
【００９０】
ステップＳ２５において、制御部３１は印字項目が「メッセージ」であるか否かを判断する。
尚、ステップＳ２２〜Ｓ２５において判断する「品名」、「添加物」、「原材料」、「メッセージ」の各印字項目は、それぞれの印字データ量に応じて、用紙搬送方向の印字範囲（高さ）を変化させる印字項目として予め定めたものである。より詳細には、上記各印字項目は、用紙搬送方向の印字範囲（例えば行数）に対し、用紙搬送方向の印字データ量（例えば行数）が少ない場合、当該印字範囲を小さく（短く）させる印字項目として予め定めたものである。
【００９１】
ステップＳ２６において、ステップＳ２１で検索した印字項目が、上記「品名」、「添加物」、「原材料」、「メッセージ」の何れかに該当する場合（ステップＳ２２：ＹＥＳ、ステップＳ２３：ＹＥＳ、ステップＳ２４：ＹＥＳ、ステップＳ２５：ＹＥＳ）には、その印字項目について該当する印字データが、ラベルフォーマットデータの当該印字項目の高さ（用紙搬送方向の印字範囲）を満たすか否かを制御部３１が判断する。つまり、ステップＳ２２〜Ｓ２５においてＹＥＳとなった各印字項目について、ステップＳ３で呼び出したラベルフォーマットデータの高さ（用紙搬送方向の印字範囲）と、ステップＳ４で呼び出した商品データにおける用紙搬送方向の印字データ量とを比較し、高さに対し印字データ量が少ない場合には満たさないと判断し、少なくない場合には満たすと判断する。例えば、印字項目「品名」の場合、用紙搬送方向の印字範囲（高さ）は３行分であるのに対し、印字データは１行分と少ないため、満たさないと判断される。
【００９２】
ステップＳ２７において、制御部３１は、ステップＳ２６で印字データが、ラベルフォーマットデータの該当印字項目の高さを満たさない（ＮＯ）と判断した場合には、満たさない部分と（余裕の高さ部分）と用紙搬送方向との位置が重なる他の印字項目（ステップＳ３で呼び出したラベルフォーマットデータの他の印字項目）の印字データがあるか否かを判断する。すなわち、制御部３１は、満たさない部分（余裕の高さ部分）と高さ位置が重なる印字データの他の印字項目があるかを判断する。即ち、呼び出したラベルフォーマットデータの他の印字項目の印字データであって、余裕の高さ部分に印字する印字データがあるかを判断する。例えば、印字項目「品名」の場合、用紙搬送方向の印字範囲（高さ）は３行分、印字データは１行分であるため、満たさない部分（余裕の高さ部分）は２行分である為、「バーコード」、「値段」、「単位」、「添加物」、「店名」の各印字項目の印字データであって、当該２行分の部分に印字する印字データがあるか否かを判断する。
つまり、ステップＳ２７では、印字項目が用紙搬送方向に並列に配置されているようなフォーマットデータが、ステップＳ３で呼び出された場合、当該並列に配置された一の印字項目について満たさない部分（余裕の高さ部分）があったときに、当該フォーマットデータにおいて、当該並列に配置された他の印字項目の印字データが当該満たさない部分に印字されることになっているかどうかを制御部３１が判断する。
【００９３】
ステップＳ２８において、制御部３１は、高さ位置が重なる印字データの他の印字項目がない（ＮＯ）と判断した場合、高さ範囲の満たさない部分（余裕分）、呼び出したフォーマットデータ中の印字位置順において以降の全項目の用紙搬送方向の位置データを、上方に詰めるように減算して位置を変更する。例えば、ステップＳ２６で印字項目「品名」について判断した場合、バーコード、値段、単位、添加物、店名の各印字項目の用紙搬送方向の位置データは、「品名」の２行分小さくなる。即ち、当該各印字項目は、用紙搬送方向に対して、「品名」の２行分上流に詰めて印刷されるようにする。また、ラベル長データも「品名」の２行分短くする。
【００９４】
ステップＳ２９において、制御部３１は、呼び出したラベルフォーマットデータの全項目について処理したか否かを判断し、全項目について処理していない（ＮＯ）の場合、ステップＳ２１の処理に進み、呼び出したラベルフォーマットデータの全項目について処理した（ＹＥＳ）の場合、ステップＳ３０の処理に進む。
【００９５】
ステップＳ３０において、制御部３１は、ステップＳ２１で検索した印字項目について、呼び出した商品データエリアの同じ項目の商品データを、その印字範囲の左上詰めで、ドット展開エリアにドットデータに変換して書き込む。この際、呼び出したフォーマットエリアのフォーマットデータの位置、フォントデータに基づいて行い、図１２のメインルーチンに進む。メインルーチンに戻る際、フォーマット番号１、品番０００１が入力されていた場合、制御部３１は、図１１（ｂ）に示したように、ドットデータを展開する。つまり、品名以降の印字項目は、「品名」の２行分、上方に移動し、さらに、「添加物」以降である「店名」は、「添加物」の３行分、上方に移動する。そして、呼び出したラベルフォーマットデータのラベル長データは、「品名」の２行分と、「添加物」の３行分、短くなる。
【００９６】
図５（ａ）、図５（ｂ）は、ラベル長が変わる場合の例を、より具体的な例を用いて説明する図である。
いずれも「品名」が「天ぷら盛り合わせ」で同じであるが、その盛り合わせの点数の相違により「添加物」のデータ量が異なる例を示し、図５（ａ）のラベルは印字項目「添加物」のデータ量が３行、図５（ｂ）のラベルは同じ印字項目「添加物」のデータ量が６行で、例えば図９に示すフォーマット番号１のフォーマットに対しては、図５（ａ）のラベルは、印字項目「品名」について２行分、印字項目「添加物」について１行分の余裕があり、合計３行分が詰めて印字される。従って、フォーマット番号１の設定されたラベル長よりも３行分短いラベルとなる。そして、フォーマット番号１には、その基準となるラベル長が設定されており、前記のように一文字分の文字の高さ、一行の行間の長さは予め決まっているので、３行分の長さが短くなった場合に短縮される長さが分かり、読み出されたフォーマットにおけるラベル長に基づき発行するラベル長を算出することができる。
また、図５（ｂ）のラベルは、印字項目「品名」について２行分の余裕、印字項目「添加物」については２行分の超過があり、結果、余裕分と超過分の相殺によりフォーマット番号１の設定されたラベル長と略同じ長さのラベルとなる。
【００９７】
以上、説明したように、本発明の実施形態に係るラベル貼付装置１００は、ラベル発行部４０から発行されたラベルをラベル吸着部で吸着保持し、ラベル貼付対象の物品にラベルを貼付する貼付手段であるラベル貼付部４１と、ラベル貼付対象の物品のサイズ、ラベルのサイズ、及び、印字項目を記憶する記憶部３２と、制御部３１と、を有する。制御部３１は、物品のサイズ、ラベルのサイズ、及び、印字項目に基づいて、ラベルの全領域のうち、ラベル貼付部４１により物品の被貼付面Ｗａに貼付される第１の領域Ｌａと、その被貼付面Ｗａからはみ出す第２の領域Ｌｂとを設定する設定手段３１ａと、ラベルの第２の領域Ｌｂを物品の被貼付面Ｗａからはみ出すように、ラベル貼付部４１により物品の被貼付面Ｗａにラベルの第１の領域Ｌａを貼付する制御を行う貼付制御部３１ｂと、を有する。
このように、物品上面のラベルにより隠れる面積が少なくなり、且つ、多くの情報を記載したラベルを発行して、物品に貼付可能な、簡単な構造のラベル貼付装置を提供することができる。また、１枚のラベルを用いて、オペレータなどにより手貼りされるラベル領域を物品の被貼付面Ｗａからはみ出した状態で、物品の被貼付面Ｗａにラベルを貼付することができる、簡単な構造のラベル貼付装置を提供することができる。
オペレータなどは、物品Ｗの被貼付面Ｗａからはみ出した、ラベルの第２の領域Ｌｂを手などで折り曲げて、物品Ｗの側面Ｗｂなどに貼付する。尚、さらに長いラベルＬを物品Ｗに貼付する場合、ラベルを略Ｕ字形状に折り曲げて物品Ｗの底面にまで貼付してもよい。
【００９８】
また、本発明の実施形態では、制御部３１の制御により、ラベル発行部４０により発行されるラベルＬは、第１の領域Ｌａに印字項目のうち重要度の高い印字項目、例えば、価格情報（値段）や商品名、バーコードなどが印字され、第２の領域Ｌｂには重要度の低い印字項目、詳細には、少なくとも価格情報は含まず、物品（商品）の原材料、添加物などが印字される。ラベル貼付装置１００の貼付制御部３１ｂは、ラベルの第２の領域Ｌｂを物品の被貼付面Ｗａからはみ出すように、ラベル貼付部４１（貼付手段）によりラベルＬの第１の領域Ｌａを物品Ｗの被貼付面Ｗａに貼付する制御を行う。オペレータなどは、物品Ｗの被貼付面Ｗａからはみ出した、ラベルの第２の領域Ｌｂを手などで折り曲げて、物品Ｗの側面Ｗｂなどに貼付する。
このため、１枚のラベルで、物品の表面側に商品名や値段などの重要度の高い印字項目を印字したラベル領域を商品の被貼付面（表面）に貼付し、原材料、添加物などの比較的重要度の低い印字項目を印字したラベル領域を、上記被貼付面と異なる面に、簡単に貼付することができるラベル貼付装置１００を提供することができる。
【００９９】
また、本発明の実施形態では、制御部３１は、ラベル発行部４０に、ラベルＬの第１の領域Ｌａと第２の領域Ｌｂとの境界を示す印ＬＭを印字するように制御を行う（図５参照）。このラベルＬの第１の領域Ｌａと第２の領域Ｌｂとの境界を示す印ＬＭは、点線、丸印、三角印などの所定のマークである。
ラベルＬの第１の領域Ｌａと第２の領域Ｌｂとの境界部分に上記マークを印刷することで、この境界部分を折曲部ＬＬであるとオペレータに認識させることができる。
尚、上記境界部分のマークは、印刷しなくともよい。
【０１００】
以上、本発明の実施形態について図面を参照して詳述してきたが、具体的な構成はこれらの実施形態に限られるものではなく、本発明の要旨を逸脱しない範囲の設計の変更等があっても本発明に含まれる。
また、上述の各図で示した実施形態は、その目的及び構成等に特に矛盾や問題がない限り、互いの記載内容を組み合わせることが可能である。
また、各図の記載内容はそれぞれ独立した実施形態になり得るものであり、本発明の実施形態は各図を組み合わせた一つの実施形態に限定されるものではない。
【０１０１】
＜第１の具体例＞
上述した実施形態では、ラベルが比較的長く、ラベルの下部分に添加物の名称などを印字した場合、ラベルの上部分をラベル貼付対象の物品（トレイなど）の上面に貼付し、ラベルの下部分を手などで折返し、ラベル貼付対象の物品（トレイなど）の側面や底面などに貼付した。
ラベルが比較的短く、ラベルの下部分に添加物の名称などを印字しない場合、ラベル貼付装置は、シームレスにラベル貼付対象の物品の上面にラベルを貼付した。
このラベルの貼付位置の基準は、ラベル貼付対象の物品（トレイなど）のエッジである。
【０１０２】
しかしながら、タック紙のラベルを貼付する場合、ラベル貼付対象の物品（トレイなど）の下端を貼付位置の基準とするのではなく、ラベル貼付対象の物品（トレイなど）の上下左右の辺から一定距離の貼り付け位置（以下貼り付けシロ）に、タック紙のラベルを貼付する。つまり、ラベルの貼付位置の基準に相違がある。
【０１０３】
本発明の第１の具体例に係るラベル貼付装置を説明する。本具体例に係るラベル貼付装置は、タック紙の折返し用ラベルの貼り付け動作と、通常のラベルの貼り付け動作を切り替えて行う。
折返し用ラベルとは、例えば、ライナレスラベルの上面の下部分に添加物等が印字され、ラベルの上部分がラベル貼付対象の物品（トレイなど）の上面に貼付され、ラベルの下部分がラベル貼付対象の物品（トレイなど）の側面や裏面などに折返して貼り付けられるラベルである。
ラベルの折り返し部分に対応する寸法が、タック紙のラベルの貼り付けシロ寸法より小さい場合、ラベル貼付装置は、ラベル貼付対象の物品（トレイなど）の上面のみに貼付する（納めてしまう）ように制御する。また、ラベル貼付装置は、貼り付けシロよりも折り返し寸法が長い場合、折り返し位置をトレイエッジとする。
【０１０４】
詳細には、ラベル設定画面などでラベルに関する設定を行う際、ラベルの折り返しＹ座標（ｍｍ）が一定値未満に設定された場合、ラベル貼付装置の制御部は、その設定を無効とする処理、または、ラベルを折り返さずにラベル貼付対象の物品（トレイなど）の上面に納まるように、ラベル位置を調整する処理を行う。
【０１０５】
つまり、本具体例に係るラベル貼付装置では、タック紙に関するラベル貼付処理の場合、貼り付け位置の設定を煩雑に行うことなく、容易に、折り返し位置およびタック紙のラベル貼り付け位置を設定することができる。
【０１０６】
＜第２の具体例＞
本発明の第２の具体例に係るラベル貼付装置は、例えば、排出方向に対して横長のラベル貼付対象の物品（トレイなど）において、その物品の短辺からはみ出すように、縦長のラベルを９０°回転させて貼付する制御を行う。
このように、本具体例に係るラベル貼付装置は、簡単にラベルの縦貼りを行うことができる。
【０１０７】
＜第３の具体例＞
本発明の第３の具体例に係るラベル貼付装置の動作を説明する。
ラベル貼付装置は、ラベルの貼付対象の物品（トレイなど）ラベルの貼付位置を右上、右下、左上、左下のいずれかに設定可能である。
長いラベルを、貼付対象の物品（トレイなど）の左下または右下に貼付する設定で、且つ、長いラベルが物品の下辺からはみ出すように貼付するように、折り返し（はみ出し）設定が行われた状態で、ラベルの貼付位置を、ラベル貼付対象の物品（トレイなど）の右上または左上に変更する場合、ラベル貼付装置の制御部は、上記折り返し（はみだし設定）設定を無効とし、ラベルをラベル貼付対象の物品（トレイなど）からはみ出ないように貼付する制御を行う。
このように、本具体例に係るラベル貼付装置は、折り返し（はみ出し）設定がなされ、ラベル貼付対象の物品（トレイなど）の右上または左上をラベル貼付位置とした場合に、煩雑な操作を行うことなく、折り返し（はみだし設定）設定を無効とし、ラベルを物品からはみ出ないように貼付することができる。
【０１０８】
＜第４の具体例＞
図１４は本発明に係るラベル貼付装置で用いられるラベルフォーマットイメージおよび境界位置を示す折返し線の一例を示す図である。
【０１０９】
本具体例に係るラベル貼付装置において、印字情報記憶部としての記憶部３２は、印字データ、ラベルフォーマットイメージを記憶する。ラベル発行部４０は、記憶部３２に記憶されている印字データおよびラベルフォーマットイメージに基づいてラベルを発行する。表示部３９は、ラベルフォーマットイメージ上において第１の領域と第２の領域の境界位置、詳細には、境界位置を示す折返し線７２を表示する。例えば、操作入力部３８により折返し線表示／非表示ボタン７１（図１４参照）が操作された場合、制御部３１は折返し線７２の表示または非表示を表示部３９に行わせる。
【０１１０】
設定手段３１ａは、操作入力部３８からの出力、詳細には操作入力部３８からのオペレータによる操作入力信号に基づいて、表示部３９により表示される境界位置、詳細には、境界位置を示す折返し線７２をラベルフォーマットイメージ上で移動可能とし、移動した境界位置を示す折返し線７２に対応した位置に基いて境界位置を設定する処理を行う。
詳細には、オペレータによるタッチパネルやキーボードなどの操作入力部３８を操作した場合、制御部３１は、その操作入力部３８の入力に基づいて、境界位置を示す折返し線７２をラベルフォーマットイメージ上で移動させる処理を行う。
つまり、本具体例に係るラベル貼付装置は、ラベルフォーマットイメージ上で、境界位置を示す折返し線７２を移動させて設定したＹ座標を、新たなラベル折返し線のＹ座標（ｍｍ）の数値として容易に設定することができる。
すなわち、本具体例に係るラベル貼付装置は、目視により簡単に折返し線の位置を容易に設定可能である。
【符号の説明】
【０１１１】
１  搬送手段（ベルトコンベア）
４  表示操作部（タッチパネル）
５  フィルムフィード機構
８  排出プッシャ（プッシャ）
１１  ストレッチ包装部
１２  商品載置部
１３  プッシャコンベア
１６  包装部
１７  フィルムロール
２１  台紙レスラベルロール
２１’  ラベル用紙
２５  印字部
２５ａ  プラテンローラ
２５ｂ  サーマルヘッド
２５ｃ  ステッピングモータ
２６  切断手段
３１  制御部（ＣＰＵ）
３１ａ  設定手段
３１ｂ  貼付制御部
３２  記憶部
３３  ＲＯＭ
３４  ＲＡＭ
３５  第１の物品検出センサ
３６  第２の物品検出センサ
３８  操作入力部
３９  表示部
４０  ラベル発行部
４０Ｅ  ラベル発行貼付部
４１  ラベル貼付部（貼付手段）
４２  貼付駆動部
４３  搬送駆動部
５０  計量部
５９  商品検出センサ
６１  ＣＰＵ
６２  ＲＯＭ
６３  ＲＡＭ
６４  操作部
６６  機構駆動部
１００  ラベル貼付装置
１０２  ストレッチ包装機
１０２Ｅ  包装機構制御部 
Ｌａ  第１の領域（上面貼付領域）
Ｌｂ  第２の領域（側面貼付領域）
Ｗ  物品（商品）
【図１】
2014177306.tif 000003
【図２】
2014177306.tif 000004
【図３】
2014177306.tif 000005
【図４】
2014177306.tif 000006
【図５】
2014177306.tif 000007
【図６】
2014177306.tif 000008
【図７】
2014177306.tif 000009
【図８】
2014177306.tif 000010
【図９】
2014177306.tif 000011
【図１０】
2014177306.tif 000012
【図１１】
2014177306.tif 000013
【図１２】
2014177306.tif 000014
【図１３】
2014177306.tif 000015
【図１４】
2014177306.tif 000016